(57)【要約】【課題】ダッシュパネル及びカウル部材の剛性を高めつつ車両の固有振動との共振を回避して車室内の籠り音を抑制できる自動車の車体前部構造を提供する。【解決手段】ダッシュパネル３と、カウルパネル５と、前記ダッシュパネル３の前面下部が結合される左，右のサイドメンバ６と、前記ダッシュパネル３の後面に配設された補強プレート７とを備える場合に、前記補強プレート７は、車幅方向略全幅に渡って延び、前記ダッシュパネル３の上部と前記カウルパネル６の下部とを結合する上部補強部８と、該上部補強部８に続いて下方に延び、前記左のサイドメンバ６のみに結合される下部補強部９とを含む。【選択図】図１
2015209011.tif 000002
【特許請求の範囲】
【請求項１】
エンジンルームと車室内とを仕切るダッシュパネルと、該ダッシュパネルの上部に固定され車幅方向に延びるカウル部材と、車両前後方向に延び前記ダッシュパネルの前面下部が結合される左，右のサイドメンバと、前記ダッシュパネルの後面に配設された補強部材とを備えた自動車の車体前部構造において、
前記補強部材は、車幅方向略全幅に渡って延び、前記ダッシュパネルの上部と前記カウル部材の下部とを結合する上部補強部と、
該上部補強部に続いて下方に延び、前記左，右のサイドメンバの何れか一方のみに結合される下部補強部とを含む
ことを特徴とする自動車の車載前部構造。
【発明の詳細な説明】
【技術分野】
【０００１】
本発明は、エンジンルームと車室内とを仕切るダッシュパネルと、該ダッシュパネルの上部に配設されたカウル部材とを備えた自動車の車体前部構造に関し、詳細にはダッシュパネルやカウル部材の振動による車室内の籠り音を抑制できるようにした補強構造の改善に関する。
【背景技術】
【０００２】
自動車の車体前部においては、エンジンルームと車室内とを仕切るダッシュパネルが配設され、該ダッシュパネルの上部には車幅方向に延びるカウル部材が配設されている。このような車体前部構造では、車両の走行振動によりダッシュパネル及びカウル部材が振動することにより車室内の籠り音が発生し易いという問題がある。
【０００３】
前記ダッシュパネルの振動を抑制することで前記籠り音を抑制可能とする従来の車体前部構造として、例えば特許文献１には、ダッシュパネルの上下方向中途部に車幅方向全幅に渡って延びる補強部材を溶接固定し、該補強部材と前記ダッシュパネルの中途部とで車幅方向全幅に渡って延びる閉断面を形成する構造が開示されている。
【先行技術文献】
【特許文献】
【０００４】
【特許文献１】特開２００４−１３０９７６号公報
【発明の開示】
【発明が解決しようとする課題】
【０００５】
前記従来構造では、ダッシュパネルの剛性を向上できるものの、補強部材が車幅方向略全幅に渡って設けられていること等が起因して、車両が有する固有振動と共振し、共鳴により籠り音が大きくなってしまう場合がある。この共鳴を回避するために単純に補強部材の大きさ小さくすると剛性が低下し、ダッシュパネルの振動を確実に抑制することはできない。
【０００６】
本発明は、前記従来の実情に鑑みてなされたもので、ダッシュパネル及びカウル部材の剛性を高めつつ車両の固有振動との共振を回避して車室内の籠り音を抑制できる自動車の車体前部構造を提供することを課題としている。
【課題を解決するための手段】
【０００７】
本発明は、エンジンルームと車室内とを仕切るダッシュパネルと、該ダッシュパネルの上部に固定され車幅方向に延びるカウル部材と、車両前後方向に延び前記ダッシュパネルの前面下部が結合される左，右のサイドメンバと、前記ダッシュパネルの後面に配設された補強部材とを備えた自動車の車体前部構造において、
前記補強部材は、車幅方向略全幅に渡って延び、前記ダッシュパネルの上部と前記カウル部材の下部とを結合する上部補強部と、該上部補強部に続いて下方に延び、前記左，右のサイドメンバの何れか一方のみに結合される下部補強部とを含むことを特徴としている。
【発明の効果】
【０００８】
本発明に係る車体前部構造によれば、前記補強部材の車幅方向略全幅に渡って延びる上部補強部により前記ダッシュパネルの上部と前記カウル部材の下部とを結合すると共に、前記上部補強部に続いて下方に延びる下部補強部を前記左，右何れかのサイドメンバに結合した。そのため、タイヤからの振動の入力により震源となり易いカウル部材のダッシュパネルとの結合部を大幅に補強でき、カウル部材を震源とする振動を効果的に抑制でき、その結果車室内の籠り音を抑制できる。
【０００９】
またダッシュパネルに上部補強部と下部補強部とからなる補強部材を固定したので、ダッシュパネル自体の剛性を向上できる。一方、前記補強部材の下部補強部を左，右何れかのサイドメンバのみに結合したので、補強部材をダッシュパネルに結合したことによる剛性の増加が車幅方向において異なることとなり、車両の有する固有振動と共振し難く、従って共鳴し難いので、この点からも車室内の籠り音を抑制できる。
【００１０】
また上部補強部のみが車幅方向全幅に渡るサイズに設定され、下部補強部は一方のサイドメンバのみに結合される構造であるので、補強部材全体を車幅方向全幅に渡るように設けた場合に比較して重量，コストを削減でき、生産性を向上できる。
【図面の簡単な説明】
【００１１】
【図１】本発明の実施例１に係る自動車の車体前部構造の車室内側から見た模式斜視図である。
【図２】前記車体前部構造の車室内側から見た模式正面図である。
【図３】前記車体前部構造の模式断面側面図（図２のIII-III線断面図）である。
【図４】本発明の実施例２に係る自動車の車体前部構造の車室内側から見た模式正面図である
【発明を実施するための形態】
【００１２】
以下、本発明の実施形態を添付図面に基づいて説明する。
【実施例１】
【００１３】
図１ないし図３は本発明の実施例１に係る自動車の前部車体構造を説明するための図である。本実施例において、前，後、左，右とは車室内側から前方を見た場合の前，後、左，右を意味する。
【００１４】
図において、１は自動車の前部に形成されたエンジンルーム、２は車室であり、該エンジンルーム１と車室２とは車幅方向全幅に渡るように配設されたダッシュパネル３により仕切られている。該ダッシュパネル３の下部３ａは車室２側に向けて傾斜するように折りまげられており、該下部３ａにはフロアパネル４の前端部４ａが重ねられて結合されている。
【００１５】
前記ダッシュパネル３の上端部にはフランジ部３ｂが車両前方に向けて折り曲げ形成されており、該フランジ部３ｂ上にカウルパネル（カウル部材）５の底壁５ａが固定されている。このカウルパネル５は、図示しないウインドシールドとエンジンルーム１を開閉するフードとの間に配置され、車幅方向に延びて左，右のエプロンメンバ等の車体構成部材を繋ぐように配設されている。
【００１６】
前記カウルパネル５は、前記底壁５ａと、該底壁５ａの前縁，後縁から上方に起立するよう折り曲げ形成された前，後の縦壁５ｂ，５ｂと、該前，後の縦壁５ｂ，５ｂの上端部を車両前，後方向に屈曲させたフランジ部５ｃ，５ｃとを有する横断面ハット形状をなす板金製のものである。なお、図示していないが、前記カウルパネル５の上面にはカウルカバーが配設されている。
【００１７】
また、前記フロアパネル４の下面の車幅方向左側，右側には左，右のサイドメンバ６，６が車両前後方向に延びるように配設されている。この左，右のサイドメンバ６，６は、前記フロアパネル４の下面側に位置するフロア部６ａと、前記ダッシュパネル３の下部３ａの前面側に位置する傾斜部６ｂと、前記エンジンルーム１内に位置するエンジンルーム部６ｃとを有し、該エンジンルーム部６ｃは前記フロア部６ａより上方に段をなすように変位させて配置されている。
【００１８】
前記各サイドメンバ６は、底壁６ｄ，側壁６ｅ，６ｅ及び上端フランジ部６ｆ，６ｆを有する横断面ハット形状をなしており、該フランジ部６ｆが前記フロアパネル４，ダッシュパネル３の下部に溶接固定されている。
【００１９】
そして前記ダッシュパネル３の車室２側に位置する後面には補強プレート（補強部材）７が配置され、溶接固定されている。この補強プレート７は、前記カウルパネル５側に位置し、前記ダッシュパネル３の上部と前記カウルパネル５の下部とを結合する上部補強部８と、該上部補強部８の下縁８ａから前記ダッシュパネル３の下部３ａの上縁３ｃまで下方に延びる下部補強部９とで構成されている。
【００２０】
前記上部補強部８は、車幅方向略全幅に渡って延びており、前記ダッシュパネル３の後面に当接する前記下縁８ａから前記カウルパネル５の縦壁５ｂの下縁に向かって車室２内側に傾斜しつつ延びる傾斜部８ｂと、該傾斜部８ｂの上縁に形成され、前記カウルパネル５の縦壁５ｂの下縁に固定されたフランジ部８ｃとを有する。前記傾斜部８ｂと、前記ダッシュパネル３の上部と、前記カウルパネル５の底壁５ａとで、横断面三角形状で車幅方向略全幅に渡る長さの閉断面Ａが形成されている。
【００２１】
前記下部補強部９は、前記上部補強部８の下縁８ａに続いて下方に延びる台形状をなしている。該台形の、上側に位置する一方の底辺は前記下縁８ａで構成され、下側に位置する他方の底辺９ａは前記左の、即ち助手席側のサイドメンバ６の前記フランジ部６ｆの、前記傾斜部６ｂとエンジンルーム部６ｃとの境界部分６ｆ′に重なるように位置している。前記下部補強部９の左脚辺９ｂは前記上部補強部８の下縁８ａの左端から垂直下方に延びており、一方右脚辺９ｃは前記下縁８ａの右端から前記底辺９ａに向かって斜めに延びている。
【００２２】
そして前記下部補強部９の前記底辺９ａ部分は、前記フランジ部６ｆの前記境界部分６ｆ′に前記ダッシュパネル３の下縁３ｃ部分と共に、即ち三枚重ねで溶接固定されている。なお、図中、×印はスポット溶接点を示す。
【００２３】
本実施例に係る車体前部構造によれば、補強プレート７の車幅方向略全幅に渡って延びる上部補強部８により前記ダッシュパネル３の上部と前記カウルパネル５の縦壁５ｂの下部とを結合することで車幅方向略全幅に延びる閉断面Ａを形成すると共に、前記上部補強部８に続いて下方に延びる下部補強部９の下側の低辺９ａ部分を前記左のサイドメンバ６に結合した。そのため、タイヤからの振動の入力により震源となり易いカウルパネル５のダッシュパネル３との結合部の剛性を大幅に増強でき、カウルパネル５を震源とする振該逆カルマン渦Ｓ１により車体を幅方向内方に向かって押す力Ｆを発生させることができ動を効果的に抑制できる。その結果車室２内の籠り音を抑制できる。
【００２４】
またダッシュパネル３に上部補強部８と下部補強部９とからなる補強プレート７を固定したので、該ダッシュパネル３自体の剛性を向上できる。一方、前記補強プレート７の下部補強部９を左のサイドメンバ６のみに結合したので、補強プレート７をダッシュパネル３に結合したことによる剛性の増加が車幅方向において異なることとなり、車両の有する固有振動と共振し難く、従って共鳴し難いので、この点からも車室２内の籠り音を抑制できる。
【００２５】
さらにまた上部補強部８のみを車幅方向全幅に渡るサイズに設定し、下部補強部９については台形状とし、一方のサイドメンバ６のみに結合する構造としたので、補強部材全体を車幅方向全幅に渡るように設けた場合に比較して重量，コストを削減でき、生産性を向上できる。
【実施例２】
【００２６】
図４は本発明の実施例２を説明するための図であり、図中、図２と同一符号は同一又は相当部分を示す。
【００２７】
本実施例２に係る補強プレート７は、前記実施例１と同様の上部補強部８と、該上部補強部８の下縁８ａに続いて下方に延びる下部補強部９′とで構成されている。
【００２８】
前記下部補強部９′は、前記下縁８ａの左端部から下方に延びる左辺９ｂ′と、前記下縁８ａの車幅方向中央より少し右側に位置する部分から下方に延びる右辺９ｃ′と、該左，右辺９ｂ′，９ｃ′の下端同士を接続する下辺９ａ′を有する長方形状をなしている。そして前記下辺９ａ′の左部が前記ダッシュパネル３の下部を介在させて前記左のサイドメンバ６のフランジ部６ｆに三枚重ねで溶接固定されている。
【００２９】
本実施例２においても前記実施例１と同様の作用効果が得られる。
【００３０】
なお、前記実施例では、前記補強プレート７の下部を左のサイドメンバ６のみに結合したが、本発明での補強プレート７の下部を右のサイドメンバのみに結合しても勿論構わない。
【００３１】
また、前記実施例では、補強部材がプレートで構成されている場合を説明したが、本発明の補強部材は、プレート状のものに限らず梁状のものであっても良い。
【符号の説明】
【００３２】
１  エンジンルーム
２  車室
３  ダッシュパネル
５  カウルパネル（カウル部材）
６  サイドメンバ
７  補強プレート（補強部材）
８  上部補強部
９  下部補強部
【図１】
2015209011.tif 000003
【図２】
2015209011.tif 000004
【図３】
2015209011.tif 000005
【図４】
2015209011.tif 000006